【手続補正書】
【提出日】平成15年6月26日(2003.6.26)
【手続補正１】
【補正対象書類名】明細書
【補正対象項目名】全文
【補正方法】変更
【補正の内容】
【発明の名称】修正機能付筆記具
【特許請求の範囲】
【請求項１】先端に開口部をもつ本体容器内に、筆記液を収容しかつその筆記部を先端に有する筆記軸と、修正液を収容しかつその塗布部を先端に有する複数本の修正液軸とを内蔵するとともに、これらの筆記軸及び修正液軸をその先端が上記開口部を通じて外方へ突出する位置まで繰り出す繰り出し機構を備え、かつ、上記修正液軸内に撹拌用のコイルバネを収容したことを特徴とする修正機能付筆記具。
【請求項２】請求項１記載の修正機能付筆記具において、上記本体容器の先端に単一の開口部を設け、この開口部を通じて上記筆記軸もしくは修正液軸が択一的に繰り出されるように構成したことを特徴とする修正機能付筆記具。
【請求項３】請求項１または２記載の修正機能付筆記具において、上記塗布部として、少なくとも先端側に開口し、尾端側が上記修正液軸本体に通じ、先端と尾端との間の部分に先端側に向かうに従って縮径する絞り部が形成された先筒と、柔軟性をもつ弾性材で形成され、上記絞り部の内面に対して全周にわたり接触可能な形状を有し、先筒内に軸方向に移動可能に収容された弁体と、この弁体を先端側に付勢し、この付勢力により弁体を上記絞り部の内面に接触させる付勢部材と、上記先筒内において上記弁体よりも先端側の位置に先筒先端面から先端側に突出する状態で上記弁体と独立して軸方向に移動可能に保持された塗布先部とを備えるとともに、上記塗布先部が最も先端側に移動した状態でこの塗布先部と上記弁体とが軸方向に離間するようにこれら塗布先部と弁体の形状を設定したことを特徴とする修正機能付筆記具。
【請求項４】請求項３記載の修正機能付筆記具において、上記先筒及び塗布先部を金属もしくは無機材料で形成したことを特徴とする修正機能付筆記具。
【請求項５】請求項１〜４記載の修正機能付筆記具において、修正液軸の断面積を筆記軸の断面積よりも大きくしたことを特徴とする修正機能付筆記具。
【請求項６】請求項５記載の修正機能付筆記具において、上記修正液軸の少なくとも軸方向の一部の形状をその外周面が本体容器の内周面に沿う形状としたことを特徴とする修正機能付筆記具。
【請求項７】請求項１〜６記載の修正機能付筆記具において、上記本体容器の外側に先端側から尾端側に向かって延びるクリップを設けたことを特徴とする修正機能付筆記具。
【発明の詳細な説明】
【０００１】
【発明の属する技術分野】
本発明は、筆記跡を修正できる機能を備えた修正機能付筆記具に関するものである。
【０００２】
【従来の技術】
従来から知られている筆記具としては、鉛筆、ボールペン、万年筆、サインペン、マーカー等が挙げられるが、このうち、筆記跡を消しゴム等で容易に消すことのできない筆記具（一般には鉛筆以外の筆記具）については、その筆記跡を消すのに修正ペンがよく用いられている。この修正ペンは、修正液を内蔵し、この修正液を塗布するための塗布部を先端に有している。
【０００３】
【発明が解決しようとする課題】
上記筆記具による筆記内容に誤りが生じた時にこれを即座に修正するためには、この筆記具と上記修正ペンとを併用しなければならない。すなわち、この場合には上記筆記具と修正ペンとを常にセットで用意しなければならず、特に携帯が不便となる。また、筆記具による筆記を行っている間は修正ペンを机の上等に載置しておかなければならないため、修正が生じた時に上記筆記具を修正ペンに持ち替える作業が煩わしく、また、載置している修正機能付筆記具が誤って机から落下して破損したり、紛失したりするおそれもある。
【０００４】
本発明は、このような事情に鑑み、特に修正ペンを併用しなくても、筆記跡をその場で即座に修正でき、かつ携帯に便利な修正機能付筆記具を提供することを目的とする。
【０００５】
【課題を解決するための手段】
上記課題を解決するための手段として、本発明は、先端に開口部をもつ本体容器内に、筆記液を収容しかつその筆記部を先端に有する筆記軸と、修正液を収容しかつその塗布部を先端に有する複数本の修正液軸とを内蔵するとともに、これらの筆記軸及び修正液軸をその先端が上記開口部を通じて外方へ突出する位置まで繰り出す繰り出し機構を備え、かつ、上記修正液軸内に撹拌用のコイルバネを収容したものである。
【０００６】
この修正機能付筆記具において、本体容器内から先端側に筆記軸を繰り出すことにより、その筆記部を所定面に当ててこの面に筆記をすることができる。そして、この筆記に誤りが生じた場合には、上記筆記軸に代えて修正液軸を繰り出すだけで、誤記部分を即座に修正できる。
【０００７】
ここで、修正液軸を細径化すると、この修正液軸内に撹拌用部材としてボールを入れた場合にこのボールが修正液流路を塞いでしまうおそれがあるが、本発明では修正液軸内に撹拌用部材としてコイルバネを収容しているので、このコイルバネのすき間によって修正液通路を確実に確保できる。
【０００８】
上記本体容器の先端には、各修正液軸に対応して複数の開口部を設けるようにしてもよいが、開口部を単一にしてこの開口部から筆記軸もしくは修正液軸を択一的に繰り出すように構成すれば、構造がコンパクトになり、また、誤って筆記軸と修正液軸とが同時に繰り出される事態も防ぐことができる。
【０００９】
この修正機能付筆記具では、単一の本体容器に筆記軸と併せて修正液軸を収容するため、筆記具全体をコンパクトにするには修正液軸の塗布部をなるべく細径化する必要がある。このような塗布部としては、少なくとも先端側に開口し、尾端側が上記修正液軸本体に通じ、先端と尾端との間の部分に先端側に向かうに従って縮径する絞り部が形成された先筒と、柔軟性をもつ弾性材で形成され、上記絞り部の内面に対して全周にわたり接触可能な形状を有し、先筒内に軸方向に移動可能に収容された弁体と、この弁体を先端側に付勢し、この付勢力により弁体を上記絞り部の内面に接触させる付勢部材と、上記先筒内において上記弁体よりも先端側の位置に先筒先端面から先端側に突出する状態で上記弁体と独立して軸方向に移動可能に保持された塗布先部とを備えるとともに、上記塗布先部が最も先端側に移動した状態でこの塗布先部と上記弁体とが軸方向に離間するようにこれら塗布先部と弁体の形状を設定したものが、好適である。
【００１０】
この塗布部では、外力を受けない状態で、付勢部材の付勢力で弁体が先筒絞り部の内面に圧接することにより、シールがなされ、先筒先端からの修正液流出が規制される。ここで、上記弁体は弾性材で形成されており、しかも塗布先部から独立しかつ離間しているので、この塗布先部の状態（材質や位置等）に影響を受けることなく弁体と先筒絞り部とは確実に密着する。また、この密着部は塗布先部よりも奥（尾端側）にあるので、この密着部に外部から異物が侵入したり、同密着部で修正液が乾燥したりすることがほとんどない。
【００１１】
次に、この状態から上記塗布先部を塗布面に押付けると、その反力で塗布先部は先筒に対して尾端側に相対移動する。そして、この塗布先部が上記弁体と当接した時点から、この塗布先部とともに弁体もスプリングの弾発力に抗して尾端側に押し込まれて絞り部内面から離れる。このとき、先筒内において弁体よりも先端側の室内の容積が急激に増大する一方、これに伴う上記先端側室内への外気の侵入は先筒と塗布先部との間の通路抵抗に起因して遅れるため、上記先端側室が負圧となり、弁体よりも尾端側に収容されている修正液は上記部分内に一旦導引される。その後、上記押圧が解除され、弁体が再び先端側に移動することにより修正液が先端側に押し出され、塗布先部を伝って塗布面に供給される。
【００１２】
以上のように、塗布先部と弁体とは互いに独立しており、弁体が柔軟性をもつ弾性材で形成されているので、上記先筒及び塗布先部を例えば金属もしくは無機材料で形成しても良好なシール性を確保でき、これにより、先筒及び塗布先部に十分な強度を確保しながらこれらの径を小さくできる。
【００１３】
また、上記修正液は筆記液よりも消費量が一般に多くなるので、修正液軸の断面積を筆記軸の断面積よりも大きくして両者の容量に差を与えるのが望ましい。
【００１４】
より具体的に、上記修正液軸の少なくとも軸方向の一部の形状をその外周面が本体容器の内周面に沿う形状とすれば、修正液軸を本体容器内に収容できる範囲内で修正液軸の修正液容量を極力稼ぐことができ、筆記具全体としての寿命を延ばすことができる。
【００１５】
本発明の修正機能付筆記具では、その開口部から先端側へ修正液軸の塗布部が繰り出されるので、この開口部を上にして保管すれば、修正液軸の塗布部に修正液成分が沈殿することを防止できるが、さらに、上記本体容器の外側に先端側から尾端側に向かって延びるクリップを設ければ、このクリップを用いて携帯した時に上記開口部が必ず上を向くことになるので、携帯中での塗布部内における上記修正液成分の沈殿をより確実に防げる。
【００１６】
【発明の実施の形態】
本発明の第１の実施の形態を図１〜図６に基づいて説明する。
【００１７】
図１に示す本体容器２には、その先端部にのみ開口部４が設けられ、本体容器２内には修正液軸６Ａ及び筆記軸６Ｂが設けられている。修正液軸６Ａ及び筆記軸６Ｂは、可撓性をもつ柔軟な材料（例えばナイロン）により円管状に形成され、修正液軸６Ａの先端には塗布部２０が、筆記軸６Ｂの先端には筆記部１８が、それぞれ装着されている。また、修正液軸６Ａ及び筆記軸６Ｂ内には、撹拌用部材としてコイルバネ７が装入されている。
【００１８】
修正液軸６Ａ及び筆記軸６Ｂの尾端には、繰り出し機構を兼ねた栓１０が装着されている。本体容器２の中間部には、上記修正液軸６Ａ及び筆記軸６Ｂが貫通する内壁３が設けられ、この内壁３と上記各栓１０との間に圧縮バネ８が介在することにより、修正液軸６Ａ及び筆記軸６Ｂが尾端側に付勢されている。
【００１９】
図２にも示すように、各栓１０は、幅広の本体１１と、この本体１１の下面に本体１１に沿って形成された小幅の被案内部１２とを一体に有し、両者の前端面から前方に突出部１３が突設され、この突出部１３が上記修正液軸６Ａ及び筆記軸６Ｂの尾端に嵌入、固定されている。本体１１の尾端部表面には被操作部１４が突設され、この被操作部１４が、本体容器２に形成された軸方向の長孔１５を通じて外方に突出している。また、本体容器２の尾端部内には、各栓１０の被案内部１２を両側から挾持するようにして案内する挾持壁１６が突設されている。
【００２０】
この機構において、上記被操作部１４が操作され、栓１０及び修正液軸６Ａ（もしくは筆記軸６Ｂ）が一体に圧縮バネ８の弾発力に抗して先端側に押されると、先端の塗布部２０（もしくは筆記部１８）が開口部４から先端側へ突出した状態で栓１０の本体１１が両挾持壁１６を過ぎて落ち込み、この本体１１の尾端部が両挾持壁１６の先端部によって係止されるようになっており（図示の状態）、この状態から上記被操作部１４が再操作されることにより、その反動で栓１０及び修正液軸６Ａ（もしくは筆記軸６Ｂ）が尾端側に押し戻されて塗布部２０（もしくは筆記部１８）が開口部４から内方に没入するようになっている。また、図示の状態から筆記軸６Ｂが繰り出されると、この筆記軸６Ｂ側の栓１０により修正液６Ａ側の栓１０が押し出され、この修正液軸６Ａが自動的に没入位置に復帰するようになっている。すなわち、修正液軸６Ａ及び筆記軸６Ｂは単一の開口部４から択一的に繰り出される。
【００２１】
次に、上記塗布部２０の構造を図３〜図６に基づいて説明する。
【００２２】
この塗布部２０は、先端側と尾端側の双方に開口する先筒２２を備え、この先筒２２は、全体が硬質材料（ステンレス鋼等の金属材料やセラミック等の無機材料、その他．．．）で形成されている。この先筒２２は、側壁に加えて底壁２４を有し、底壁２４の中央には上記修正液軸６Ａ内と連通される修正液流通穴２６が形成されている。
【００２３】
上記先筒２２は、尾端側から順に、大径円筒部２８、絞り部３０、及び小径円筒部３２を有している。大径円筒部２８は、その適所に抜け止め部３４を有し、上記修正液軸６Ａの先端部に嵌入、固定されている。絞り部３０は、先端側に向かうに従って縮径する円錐台状に形成されており、小径円筒部３２は大径円筒部２８よりも小径となっている。
【００２４】
この先筒２２内には、先端側から順に、ペン先部（塗布先部）３６、弁体３８、案内部材４０が軸方向に移動可能に収容されている。
【００２５】
案内部材４０は、上記先筒２２と同等の硬質材料で形成され、図４（ａ）及び図５（ａ）に示すように、筆記具尾端側の角柱部４４と、先端側の円柱部４６とを一体に有している。角柱部４４は、大径円筒部２８の内周面に対してほぼ内接する（僅かに隙間があってもよい。）略正方形の横断面形状を有し、この角柱部４４と大径円筒部２８との横断面形状の相違から両者の間に図４（ａ）に示すような修正液流通路４７が確保されており、円柱部４６の外径は大径円筒部２８の内径よりも小さな径に設定されている。また、角柱部４４の尾端面（図３では上端面）にはスプリング係止部４５が突設され、円柱部４６の先端面には弁体係止部４８が突設されている。
【００２６】
弁体３８は、高質ゴムや軟質の特殊樹脂等、柔軟性をもつ弾性材もしくは粘弾性材で形成され、上記円柱部４６と略同等の横断面形状をもつ円柱状をなしている。この弁体３８の径は、上記大径円筒部２８の内径よりも小さく、かつ小径円筒部３２の内径よりも大きな径に設定されており、従ってこの弁体３８は、図３に示すように、先端側周縁部が絞り部３０の内面適所に全周にわたり接触可能となっている。また、この弁体３８の尾端面には被係止穴３９が凹設され、この被係止穴３９が上記案内部材４０の弁体係止部４８と係合されることにより、両者の径方向の相対移動が規制されている。
【００２７】
ここで、上記案内部材４０と先筒２２の底壁２４との間には圧縮コイルスプリング４２が圧縮状態で閉じ込められており、この圧縮コイルスプリング４２の弾発力によって、図３に示すように、上記弁体３８と案内部材４０とが密接し、かつ弁体３８の先端側周縁部が絞り部３０の内面に全周にわたり圧接するようになっている。
【００２８】
ペン先部３６は、上記先筒２２と同様に硬質材料で形成されており、図４（ｂ）及び図５（ｂ）に示すように、尾端側から順に、円錐台状の被係止部５０、角柱部５２、及び最先端の半球部５４を一体に有している。被係止部５０の外周面の傾斜角度は、上記絞り部３０の傾斜角度と同等に設定されており、従ってこの被係止部５０は絞り部３０の内周面に全周にわたり面接触可能とされている。角柱部５２は、小径円筒部３２の内周面に対してほぼ内接する（僅かに隙間があってもよい。）略正方形の横断面形状を有し、この角柱部５２と小径円筒部３２との横断面形状の相違から両者の間に図４（ｂ）に示すような修正液流通路５３が確保されている。
【００２９】
そして、上記被係止部５０が絞り部３０の内周面に接触した状態（すなわち被係止部５０が最も先端側に移動した状態）で、被係止部５０の尾端面と弁体３８の先端面との間に図３に示すような微小隙間５６が形成される（すなわちペン先部３６と弁体３８とが離間する）ように、ペン先部３６及び弁体３８の形状が設定されている。
【００３０】
なお、筆記部１８の構造は、通常のボールペンの先端に設けられているチップの構造と全く同等であり、その説明を省略する。ただし、本発明における筆記軸は、ボールペンレフィールに限らず、例えばサインペンやマーカーのインクを収容するものであってもよい。
【００３１】
次に、この修正機能付筆記具の作用を説明する。
【００３２】
まず、修正液軸６Ａ及び筆記軸６Ｂが本体容器２内に収容された状態から、筆記軸６Ｂに対応する被操作部１４を操作し、当該筆記軸６Ｂを繰り出せば、その先端の筆記部１８を紙面等に当ててこれに筆記を行うことができる。
【００３３】
この筆記中、誤記が発生した場合には、上記筆記部１８に代えて修正液軸６Ａの塗布部２０を繰り出せばよい。これにより、上記誤記発生箇所に修正液を塗布することが可能な状態になる。
【００３４】
この状態（図１の状態）において、先端に外力が与えられていない段階では、図３に示すように、スプリング４２の弾発力で弁体３８が絞り部３０の内面に圧接することにより、この部分でシールがなされ（すなわち修正液の流通が遮断され）、先筒２２の先端開口からの修正液流出が規制される。
【００３５】
ここで、上記弁体３８は柔軟性をもつ弾性材で形成されており、しかもペン先部３６から独立しかつ離間しているので、このペン先部３６の状態（材質、位置等）に影響を受けることなく、弁体３８と先筒絞り部３０とは確実に密着する。また、図３に示すように、先端部を下に向けた状態で、ペン先部３６はその自重で先端側に移動するが、このペン先部３６の被係止部５０が絞り部３０と当接することにより、ペン先部３６の抜け落ちが防がれる。しかも、上記被係止部５０のテーパー面と絞り部３０のテーパー面とが合致しているので、両面が全周にわたり接触することにより、先筒２２先端からの修正液漏れがより確実に防がれる。このようにペン先部３６が絞り部３０に接触しながらも上記弁体３８でシールを確保できるのは、この弁体３８と上記ペン先部３６とが離間しているためである。
【００３６】
この状態から図６（ａ）に示すようにペン先部３６の半球部５４を塗布面６０に押付けると、その反力でペン先部３６は先筒２２に対して尾端側に相対移動する。そして、このペン先部３６の被係止部５０の尾端面が上記弁体３８の先端面と当接した時点から、このペン先部３６とともに弁体３８も圧縮コイルスプリング４２の弾発力に抗して尾端側に押し込まれ、絞り部３０の内面から離れる。このとき、先筒２２において弁体３８よりも先端側の先端側室４９の容積が急激に増大する一方、この部分に対する外気の侵入が修正液流通路５３の通路抵抗で遅れるため、上記先端側室４９内が負圧となり、弁体３８よりも尾端側に収容されている修正液は、図６（ａ）矢印に示すように上記先端側室４９内に一旦導引される。その後、上記押圧が解除され、同図（ｂ）に示すように弁体３８が再び先端側に移動することにより、この弁体３８で微小量の修正液が先端側に押し出され、ペン先部３６を伝って塗布面に供給される（同図矢印参照）。この要領で修正液を誤記発生箇所に塗布することにより、その修正ができる。
【００３７】
上記のように、ペン先部３６と弁体３８とは互いに独立しており、弁体３８が柔軟性をもつ弾性材で形成されているので、上述のように先筒２２及びペン先部３６を金属もしくは無機材料で形成しても良好なシール性を確保でき、これにより、先筒２２及びペン先部３６に十分な強度を確保しながらこれらの径を小さくすることができる。このような構造によって塗布部２０を細径化することにより、この塗布部２０を上記筆記部１８と併せて同時に共通の本体容器２内に収容することが可能となる。
【００３８】
この修正機能付筆記具によれば、誤記発生時にこれを即座に修正したい場合でも、単一の本体容器２を携帯すればよく、便利である。しかも、その修正の際に従来のように筆記具から修正具に持ち替える必要がなく、被操作部１４のノック操作だけで所望の修正液軸を迅速に使用可能な状態にできる。また、従来のように、筆記時に修正具を紛失するといったおそれもない。
【００３９】
さらに、図１に二点鎖線で示すように、上記本体容器２にその開口部４を塞ぐように装着されるキャップ７０に、先端側から尾端側に向かって延びるクリップ７２を形成したり、同様の形状のクリップを本体容器２に直接形成したりすれば、このクリップ７２を利用して胸ポケット内等に修正機能付筆記具を携帯した時に、塗布部２０が必ず上を向くので、この塗布部２０内での修正液成分の沈殿をより確実に防止できる利点が得られる。
【００４０】
なお、塗布部２０の構造は上記に限らず、種々の変形例が考えられる。例えば第２の実施の形態として図７に示すように、前記弁体３８を球状に形成し、案内部材４０の先端面に上記弁体３８を保持する受け座４７ａを凹設すれば、絞り部３０の傾斜角度θを小さくしても、この絞り部３０と球状の弁体３８とを全周にわたり確実に接触させることができ、良好なシール性を確保できる。従ってその分、先筒２２の大径円筒部２８をより細くすることができ、これによって微小領域への限定塗布をより容易にすることができる。
【００４１】
また、上記案内部材４０の横断面形状は、その軸方向の少なくとも一部の横断面形状が先筒２２の横断面形状と異なっていれば良く、例えば、前記の実施の形態における角柱部４４に代えて、図８に示すような円弧と直線とからなる輪郭をもつつば部４６′を形成したり、正方形以外の多角形状にしたりしてもよい。また、この案内部材４０を円柱状とし、先筒２２の横断面形状を円以外の形状に設定してもよい。あるいは、図９に示すように、案内部材４０に大径円筒部２８内面と略接触する円柱部４６″を設け、この円柱部４６″に軸方向の貫通穴５８を所定数貫通状態で設けても修正液流通路を確保することが可能である。ただし、上記のように案内部材４０と先筒２２との横断面形状とを異ならせれば、上記貫通穴５８等を設けなくても、修正液流通路を容易に確保できる利点がある。
【００４２】
なお、以上述べたことは、ペン先部３６の横断面形状と先筒２２の横断面形状との関係についても同様である。
【００４３】
次に、第３の実施の形態を図１０及び図１１に基づいて説明する。
【００４４】
この実施の形態では、前記第２の実施の形態における案内部材４０が省略されるとともに、圧縮コイルスプリング４２の外径が球状の弁体３８の外径と等しく設定されており（すなわち圧縮コイルスプリング４２の内径は弁体３８の外径よりも小さく設定されており）、圧縮コイルスプリング４２の下端部に下方から弁体３８の上部が嵌入された状態となっている。
【００４５】
圧縮コイルスプリング４２の上下端部は、互いに隣接する線材同士が接触する座巻部６２とされており、下端部の座巻部６２の座巻数は、この座巻部６２で上記弁体３８の嵌入部分（弁体３８の上部）が完全に覆われるような本数（図例では４本）に設定されている。
【００４６】
一方、ペン先部３６における被係止部５０と半球部５４との間には、異形断面部５２′が形成されている。この異形断面部５２′は、図１１（ａ）（ｂ）に示すように、３つの頂部５２ａ′を有し、各頂部５２ａ′同士の間に外向きに凸の円筒面５２ｂ′をもつ形状、すなわちロータリエンジンにおけるロータと略等しい形状を有しており、各頂部５２ａ′が先筒２２の内周面に接触するように大きさが設定されている。
【００４７】
なお、被係止部５０上面には、弁体３８の下端部との隙間を確保するために凹部６４が形成されている。
【００４８】
このように、前記各実施形態に示した案内部材４０は省略が可能であり、これにより塗布部２０をよりコンパクトにできる。
【００４９】
次に、第４の実施の形態を図１２に基づいて説明する。
【００５０】
前記の実施の形態では、修正液軸６Ａが筆記軸６Ｂと同様に細径の円管状に形成されたものを示したが、この実施の形態では、図１２に示すように、修正液軸６Ａの尾端側部分が拡大され、その外周面が本体容器２の内周面に沿う形状（すなわち半円の断面形状をもつ形状）に形成されている。
【００５１】
このような構造によれば、限られた本体容器２内のスペースを最大限活かして修正液の収容容積を稼ぐことができ、修正機能付筆記具全体の寿命を延ばすことができる。なお、この修正液軸６Ａに対して筆記軸６Ｂは細管のままでよいので、第５の実施の形態として図１３（ａ）（ｂ）に示すように、修正液軸６Ａの収納スペースの残りのスペース内に複数の筆記軸６Ｂ（例えば収納インクの色が互いに異なる筆記軸）を収容するようにしてもよい。
【００５２】
なお、本発明の実施の形態は以上のものに限らず、例えば次のような形態をとることも可能である。
【００５３】
（１）  第６の実施の形態として図１４に示すように、本体容器２の先端に修正液軸６Ａ及び筆記軸６Ｂに応じて複数の開口部４Ａ，４Ｂを設け、各開口部４Ａ，４Ｂから塗布部２０及び筆記部１８を個別に突出させるようにしてもよい。この場合、塗布部２０及び筆記部１８と修正液軸６Ａ及び筆記軸６Ｂとの間にそれぞれチップガイド１９Ａ，１９Ｂを介設し、塗布部２０及び筆記部１８が確実に各開口部４Ａ，４Ｂから突出するように構成すれば、より好ましいものとなる。ただし、前記図１に示したように、本体容器２に単一の開口部４を設け、この開口部４から塗布部２０及び筆記部１８のうちの一方を択一的に突出させるようにすれば、修正機能付筆記具全体の構造をよりコンパクトにでき、また、誤って塗布部２０及び筆記部１８が同時に繰り出される不都合を確実に回避できる利点がある。
【００５４】
（２）  本発明では、修正液軸の本数を問わず、２本以上の修正液軸を本体容器に収納するようにしてもよい。この場合、太径の修正液軸と細径の修正液軸とを収納するようにすれば、例えば広域にわたる修正箇所に迅速に修正液を塗布する場合には太径の修正液軸を、微細な箇所を正確に修正する場合には細径の修正液軸をそれぞれ用いるといった使い分けが可能になり、より便利になる。
【００５５】
（３）  本発明における繰り出し機構としては、従来から知られている種々のものが適用可能であり、例えば単一のノック部を有し、このノック部をノックする度に修正液軸が順番に繰り出されるものや、回転操作を受け、その回転操作方向に応じた修正液軸を繰り出すようにしたもの等であってもよい。
【００５６】
【発明の効果】
以上のように本発明は、先端に開口部をもつ本体容器内に、筆記軸と修正液軸の双方を内蔵し、上記開口部から各軸を繰り出すようにしたものであるので、単一の修正機能付筆記具で、筆記とその修正の双方を行うことができる。従って、従来のような筆記具と修正具との併用、修正時における筆記具から修正具への持ち替え作業を不要にし、使い勝手を飛躍的に向上させることができるとともに、筆記時の修正液軸の破損や紛失も確実になくすことができる効果がある。
【００５７】
また、修正液軸内に撹拌用部材としてコイルバネを収容しているので、このコイルバネによって良好な撹拌をしながら、そのすき間によって修正液通路を確実に確保できる。
【００５８】
さらに、開口部を単一にしてこの開口部から修正液軸を択一的に繰り出すように構成すれば、構造をよりコンパクトにでき、また、誤って複数本の修正液軸が同時に繰り出される事態も防ぐことができる。
【００５９】
上記塗布部として、少なくとも先端側に開口し、尾端側が上記修正液軸本体に通じ、先端と尾端との間の部分に先端側に向かうに従って縮径する絞り部が形成された先筒と、柔軟性をもつ弾性材で形成され、上記絞り部の内面に対して全周にわたり接触可能な形状を有し、先筒内に軸方向に移動可能に収容された弁体と、この弁体を先端側に付勢し、この付勢力により弁体を上記絞り部の内面に接触させる付勢部材と、上記先筒内において上記弁体よりも先端側の位置に先筒先端面から先端側に突出する状態で上記弁体と独立して軸方向に移動可能に保持された塗布先部とを備えるとともに、上記塗布先部が最も先端側に移動した状態でこの塗布先部と上記弁体とが軸方向に離間するようにこれら塗布先部と弁体の形状を設定したものを用いれば、塗布先部と弁体とが互いに独立しており、弁体が柔軟性をもつ弾性材で形成されているので、この弁体によって良好なシール製を確保しながら、上記先筒及び塗布先部を金属や無機材料の高強度材料で形成でき、これにより、先筒及び塗布先部に十分な強度をもたせながらこれらの径を小さくできる。従って、本体容器を小径にしながらその内部に全塗布部を収納でき、構造をよりコンパクトにできる。
【００６０】
また、修正液軸の断面積を筆記軸の断面積よりも大きくすれば、筆記液と修正液の消費速度に見合った好バランスの容量設定ができ、筆記具全体としての寿命をさらに延ばせる効果が得られる。
【００６１】
より具体的に、上記修正液軸の少なくとも軸方向の一部の形状をその外周面が本体容器の内周面に沿う形状とすれば、本体容器内の限られたスペースを有効に活用して修正液軸の修正液容量を極力稼ぐことができ、修正機能付筆記具全体の寿命を延ばすことができる。
【００６２】
また、上記本体容器の外側に先端側から尾端側に向かって延びるクリップを設ければ、このクリップの携帯時に上記開口部を確実に上に向かせることができ、携帯中での塗布部内における上記修正液成分の沈殿をより確実に防げる効果が得られる。
【図面の簡単な説明】
【図１】本発明の第１の実施の形態における修正機能付筆記具の全体断面図である。
【図２】上記修正機能付筆記具における繰り出し機構を示す斜視図である。
【図３】上記修正機能付筆記具における塗布部の断面正面図である。
【図４】（ａ）は図３のＡ−Ａ線断面図、（ｂ）は図３のＢ−Ｂ線断面図である。
【図５】（ａ）は上記修正機能付筆記具に具備される案内部材の正面図、（ｂ）は同修正機能付筆記具に具備されるペン先部の正面図である。
【図６】（ａ）は上記ペン先部が尾端側に押し込まれた状態を示す断面正面図、（ｂ）は同ペン先部が先端側に復帰した状態を示す断面正面図である。
【図７】第２の実施の形態における修正機能付筆記具の要部を示す断面正面図である。
【図８】上記案内部材の変形例を示す一部断面平面図である。
【図９】上記案内部材の変形例を示す一部断面平面図である。
【図１０】第３の実施の形態における修正機能付筆記具の要部を示す断面正面図である。
【図１１】（ａ）は上記修正機能付筆記具におけるペン先部の正面図、（ｂ）は同ペン先部の底面図である。
【図１２】第４の実施の形態における修正機能付筆記具の要部を示す斜視図である。
【図１３】（ａ）は第５の実施の形態における修正機能付筆記具の要部を示す断面正面図、（ｂ）は（ａ）のＣ−Ｃ線断面図である。
【図１４】第６の実施の形態における修正機能付筆記具の全体断面図である。
【符号の説明】
２  本体容器
４，４Ａ，４Ｂ  開口部
６Ａ  修正液軸
６Ｂ  筆記軸
７  コイルバネ
１８  筆記部
２０  塗布部
２２  先筒
２４  底壁
２６  修正液流通穴
２８  大径円筒部
３０  絞り部
３２  小径円筒部
３６  ペン先部
３８  弁体
７０  キャップ
７２  クリップ